(57)【要約】      （修正有）【課題】容易にパネルの順序や表裏の入れ替えと間隔の調整を可能とし、場所に応じた設置方法に対応できる、連結と両面表示が可能なパネルを提供する。【解決手段】写真やイラストを直接印刷あるいは印刷物を貼り付けた表示パネル２枚を背中合わせにした間に、表示パネルよりも小さな部材を挟んで接着剤あるいは磁力などの適当な接合手段によって接合する。そのときに形成される隙間に、紐状や棒状などの適当な連結部材を嵌め込む。【選択図】図３
0003171597.tif 000002
【実用新案登録請求の範囲】
【請求項１】
写真やイラストを直接印刷あるいは印刷物を貼り付るなどした表示パネル２枚を背中合わせにした間に、表示パネルよりも小さな部材を挟んで適当な接合手段によって接合させることで形成される隙間に、連結部材を嵌め込んで掲示する両面表示パネル。
【考案の詳細な説明】
【技術分野】
【０００１】
本考案は、写真やイラストなどの図版の両面表示と連結を可能とした、吊り下げあるいは自立した設置をすることが可能なパネルに関するものである。
【背景技術】
【０００２】
写真やイラストを展示するための写真立てやケースは実用に共されている。また、両面表示可能な写真立てやケースも存在する。金属製のリングを使用してフレーム同士を接続可能とした額縁や、額縁に紐状の部材を接着して連結したものも存在する。
【０００３】
ところが、前述の写真立てやケースでは、縦方向にパネルの連結ができない。連結するためには、本体の加工やネジや接着剤などを用いた加工をする必要がある。また、金属のリングあるいは紐状の部材をネジや接着剤を用いて連結する額縁は、順序や表裏の入れ替えは容易ではなく、間隔の調整も困難である。
【０００４】
特開２００８−２５９６１８号に係わる「２面表示ケース」は、２枚の表示パネルを組み合わせて正面側と背面側に写真やカレンダーシートなどを入れるなどして両面表示をすることができるが、吊り下げが出来ず、縦方向への連結もできない欠点がある。
【０００５】
特開２００３−１７６５８８号に係わる「組合わせパネル」は、パネルの差し替えを可能にしたものではあるが、吊り下げは出来ず、縦方向への連結もできない欠点がある。
【０００６】
特開平７−２０４０６６号に係わる「両面表示型写真立て」は、両面表示を可能とし、角度の調節と揺動が可能であるが、吊り下げと、縦方向への連結ができない欠点がある。
【０００７】
そこで、本考案は容易にパネルの順序や表裏の入れ替えと間隔の調整を可能とし、場所に応じて吊り下げ型や自立型などの設置方法を可能とすることを目的とする。
【先行技術文献】
【特許文献】
【０００８】
【特許文献１】特開２００８−２５９６１８号に係わる「２面表示ケース」
【０００９】
【特許文献２】特開２００３−１７６５８８号に係わる「組合わせパネル」
【００１０】
【特許文献３】特開平７−２０４０６６号に係わる「両面表示型写真立て」
【考案の概要】
【考案が解決しようとする課題】
【００１１】
本考案は容易にパネルの順序や表裏の入れ替えと間隔の調整を可能とし、場所に応じて吊り下げ型や自立型などの設置方法を可能とすることを目的とする。
【課題を解決するための手段】
【００１２】
請求項１に記載の考案は、写真やイラストを直接印刷あるいは印刷物を貼り付けた表示パネル２枚を背中合わせにした間に、表示パネルと大きさあるいは形状の異なる中間部材を挟み、接着剤あるいは磁力などの適当な接合手段によって接合させ、そのときに形成される隙間に紐状や棒状などの適当な材質や形状の連結部材を嵌め込むことで、ネジや接着剤を使用しなくても表示パネルを保持することが可能となる。連結部材を長くすれば複数の表示パネルを連結することが可能である。表示パネルと連結部材は固着していないため、容易に表示パネルの表と裏をや並び順を入れ替えたり、位置や角度を調節することが可能である。設置方法は、紐状や棒状の連結部材を用いて吊り下げ型にしたり、台座を取り付けた棒状の連結部材を用いれば自立型の設置も可能である。設置方法は特に限定しないことにする。
【考案の効果】
【００１３】
本考案の連結と両面表示が可能なパネルは、次のような効果がある。
１．支持部材に表示パネル部材を嵌め込むだけで設置出来るため、支持部材の長さを変更したり、表示パネルの数や大きさを変更することにより所望サイズで製作することが出来る。
２．表示パネルの形状は四角形や円形に限定されないため、所望のデザインで表示パネルを作ることが可能である。
３．完成した後でも容易に取り外しが可能なため、他のデザインの表示パネルへの差し替えや、裏表の入れ替えや順序の並べ替えが可能である。
４．支持部材は紐のような柔軟な素材や、棒状の硬質な素材でも利用でき、吊り下げて設置したり、硬質な支持部材を用いて台座と接合すれば自立型としての利用も出来るので利便性が高い。
６．支持部材と台座の接合部を可動できる接合方法とすれば、掲示角度の調節も可能である。
７．中間部材の形状によって、表示パネルの支持部材に対する角度を任意に調節することが出来る 
【００１４】
このように、両面表示が可能で、さらに、複数のパネルを縦方向に連結させたり容易に組み替えを可能し、自立型や吊り下げ型などの任意の設置方法に対応できるパネルは存在しない。
【図面の簡単な説明】
【００１５】
【図１】本考案を構成する両面表示パネル。
【図２】本考案を構成する両面表示パネルと支持部材を上から見た図。
【図３】本考案の実施例で、（a）は側面図、（ｂ）は正面図である。
【図４】本考案の実施例で、（a）は側面図、（ｂ）は正面図である。
【図５】本考案を構成する両面表示パネルを示す他の実施例で、（a）は取り付けた様子で、（ｂ）は回転させた場合。
【図６】本考案を構成する両面表示パネルの中間部材と支持部材との接合構造を示す他の実施例。
【図７】本考案を構成する両面表示パネルの中間部材と支持部材との接合構造を示す他の実施例。
【図８】本考案を構成する両面表示パネルの中間部材と支持部材との接合構造を示す他の実施例。
【考案を実施するための形態】
【実施例】
【００１６】
図１は両面表示パネルＡの表示パネル１と表示パネル２を示す実施例である。表示パネル1と２の両方または片方に写真やイラストなどの図版を直接印刷したり、紙や布地などの適当な素材に印刷したものを貼り付ける。表示パネル1と２に写真やカレンダーなどの印刷物を出し入れする差込み口やポケットを設けることが可能である。表示パネル1と２の形状や大きさは特に限定しないことにする。表示パネル1と２の形状や大きさは同一でなくても良い。
【００１７】
図２は両面表示パネルＡと支持部材４を表し、表示パネル１と表示パネル２を中間部材３で接合したときに形成される隙間に支持部材４を嵌め込むことで両面表示パネルＡの取り付け位置を保持する実施例である。中間部材３の形状を円形とした場合は、両面表示パネルＡの傾きを自由に変更することが可能である。支持部材４の長さや断面の形状および両面表示パネルＡの中間部材３の厚みと形状は特に限定しないことにする。
【００１８】
図３は本考案に係わる両面表示パネルＡを複数枚、自立型とした実施例である。支持部材４に取り付ける両面表示パネルＡの形状や枚数は特に限定しないことにする。両面表示パネルの重量が支持部材４に嵌め込むだけではその位置を保持できない場合は、両面表示パネルＡと支持部材４の接触部分の摩擦力を増すための適当な加工を施したり、支持部材４に棒や棚ビスなどの適当な部材を取り付けて両面表示パネルを接触させることで保持することが可能である。
【００１９】
図４は本考案に係わる両面表示パネルＡを吊り下げ型とした実施例である。支持部材４に取り付ける両面表示パネルＡの形状や枚数は特に限定しないことにする。両面表示パネルの重量が支持部材４に嵌め込むだけではその位置を保持できない場合は、両面表示パネルＡと支持部材４の接触部分の摩擦力を増すために滑り止めなどの適当な加工を施したり、支持部材４に棒などの適当な部材を差し込んで両面表示パネルを接触させることで保持することが可能である。
【００２０】
図５は本考案に係わる両面表示パネルＡを回転させて取り外し可能とした実施例である。中間部材の線分ａの長さを、２本の支持部材の間の距離ｂよりも短くし、表示パネルの最小幅ｃの長さをｂよりも短くすることで、両面表示パネルを回転させることで取り外しが容易にできる。
【００２１】
図６は本考案に係わる中間部材３と支持部材４の接合部分の他の実施例である。６のストッパー突片と７のストッパー溝とが嵌合することで、両面表示パネルＡの保持が容易になる。７の間隔を任意の位置に設けることで、一定の位置で両面表示パネルを保持することが可能になる。６と７の形状は特に限定しないこととする。
【００２２】
図７は本考案に係わる両面表示パネルＡの中間部材３と支持部材４の接合部分を上から見た他の実施例である。中間部材３の形状に曲面を形成することによって、両面表示パネルＡにＸ１からＸ２までの可動域αを設けることが可能となる。
【００２３】
図８は本考案に係わる両面表示パネルＡの中間部材と支持部材４の接合部分を横から見た他の実施例である。中間部材３の幅を支持部材４の幅よりも大きくすることで、両面表示パネルＡにＸ１からＸ２までの可動域αを設けることが可能となる。
【産業上の利用可能性】
【００２４】
一般家庭での写真鑑賞やインテリア用途の他に、両面表示が可能で差し替えや組合せが容易なため、飲食店のメニュー表示や店舗でのＰＯＰ用途などとして役立つ。ひらがなやアルファベットなどの文字や単語などを表示することで知育玩具としても利用できる。利用方法は特に限定されない。
【符号の説明】
【００２５】
１    表示パネル１
２    表示パネル２
３    中間部材
４    支持部材
５    台座
６    ストッパー突片
７    ストッパー溝
Ａ    １、２、３の部材で構成した両面表示パネル
【図１】
0003171597.tif 000003
【図２】
0003171597.tif 000004
【図３】
0003171597.tif 000005
【図４】
0003171597.tif 000006
【図５】
0003171597.tif 000007
【図６】
0003171597.tif 000008
【図７】
0003171597.tif 000009
【図８】
0003171597.tif 000010